(57)【要約】【課題】  携帯端末のネットワークに実現されるバーチャルな世界でアクセスされるロケーションをトリガとしてメッセージを効果的かつ効率的に通信できるようにすることを課題とする。【解決手段】友達の会員ＩＤに対して送りたいメッセージをウェブサーバ１２のＵＲＬに対応付けてデータベース１５のメッセージレコードテーブルに記録しておくことで、その友達がウェブサーバ１２にアクセスすると、それをトリガとしてその友達にメッセージを配信する。これにより、たとえば会員が着信メロディのダウンロードを希望して、着信メロディ配信サイトに訪れたときに自分の好きな音楽ジャンルやアーティストのことを知っている友達からのメッセージを受け取ることが可能となる。【選択図】図１
2005208941.tif 000002
【特許請求の範囲】
【請求項１】
ネットワークを介して携帯端末との間で通信するサーバシステムであって、
メッセージと当該メッセージの前記ネットワーク上におけるアドレス情報とを関連付けて記憶するメッセージ記憶手段と、
携帯端末から前記ネットワーク上のアドレス情報に基づくアクセスがあった場合に当該アドレス情報に関連付けられたメッセージが前記メッセージ記憶手段に存在するかどうか判定する判定手段と、
前記判定手段で存在が確認された場合に当該メッセージを前記携帯端末に送信するメッセージ送信手段と、
を備えたことを特徴とするサーバシステム。
【請求項２】
ネットワークを介して携帯端末との間で通信するサーバシステムであって、
ページ情報と当該ページ情報の前記ネットワーク上におけるアドレス情報とを関連付けて記憶するページ記憶手段と、
メッセージと当該メッセージの前記ネットワーク上におけるアドレス情報とを関連付けて記憶するメッセージ記憶手段と、
携帯端末から前記ネットワークを介して前記ページ記憶手段に記憶されるアドレス情報に基づくアクセスがあった場合に当該アドレス情報に関連付けられたページ情報を前記ページ記憶手段から読み出し、当該読み出されたページ情報に基づくページ画像を前記携帯端末に対して送信するページ送信手段と、
前記アクセスがあったときのアドレス情報が前記メッセージ記憶手段においてメッセージと関連付けられているかどうか判定する判定手段と、
前記判定手段で関連付けられていると判定されたメッセージを前記携帯端末に送信するメッセージ送信手段と、
を備えたことを特徴とするサーバシステム。
【請求項３】
前記アドレス情報はＵＲＬ（Uniform Resource Locator）の情報であることを特徴とする請求項１または２に記載のサーバシステム。
【請求項４】
前記メッセージ送信手段は、アクセス元の携帯端末に対してウェブ上でメッセージ表示を割り込ませることを特徴とする請求項１，２または３に記載のサーバシステム。
【請求項５】
前記メッセージ送信手段は、アクセス元の携帯端末に対してメッセージをメール送信することを特徴とする請求項１〜４のいずれか１つに記載のサーバシステム。
【請求項６】
さらに、会員に関するメールアドレスなどの会員情報を携帯端末の識別情報に対応させて記憶する会員記憶手段と、前記会員記憶手段を参照してアクセス元の携帯端末が当該携帯端末の識別情報に基づいて会員に該当するか否かを判定する会員判定手段とを有しており、前記メッセージ送信手段は、前記会員判定手段により会員に該当するという判定結果が得られた場合に前記会員記憶手段から会員のメールアドレスを読み出し、当該読み出されたメールアドレスに対してメール送信を実行することを特徴とする請求項５に記載のサーバシステム。
【請求項７】
さらに、アクセス元の携帯端末の操作に応答して、前記メッセージ記憶手段に記憶されるメッセージと当該メッセージを受け取る携帯端末の識別情報とを対応付けて前記メッセージ記憶手段に登録する登録手段を有したことを特徴とする請求項１〜６のいずれか１つに記載のサーバシステム。
【請求項８】
前記登録手段は、さらに、メッセージ毎にアドレス情報を対応付けて登録することを特徴とする請求項７に記載のサーバシステム。
【請求項９】
ネットワークを介して携帯端末との間で通信するメッセージ通信方法であって、
メッセージと当該メッセージの前記ネットワーク上におけるアドレス情報とを関連付けてメモリに記憶しており、携帯端末から前記ネットワーク上のアドレス情報に基づくアクセスがあった場合に当該アドレス情報に関連付けられたメッセージが前記メモリに存在するかどうか判定する判定ステップと、
前記判定ステップで存在が確認された場合に当該メッセージを前記携帯端末に送信するメッセージ送信ステップと、
を含んだことを特徴とするメッセージ通信方法。
【請求項１０】
ネットワークを介して携帯端末との間で通信するメッセージ通信方法であって、
ページ情報と当該ページ情報の前記ネットワーク上におけるアドレス情報との関連付けおよびメッセージと当該メッセージの前記ネットワーク上におけるアドレス情報との関連付けをメモリに記憶しており、携帯端末から前記ネットワークを介して前記メモリに記憶されるアドレス情報に基づくアクセスがあった場合に当該アドレス情報に関連付けられたページ情報を前記メモリから読み出し、当該読み出されたページ情報に基づくページ画像を前記携帯端末に対して送信するページ送信ステップと、
前記アクセスがあったときのアドレス情報が前記メモリにおいてメッセージと関連付けられているかどうか判定する判定ステップと、
前記判定ステップで関連付けられていると判定されたメッセージを前記携帯端末に送信するメッセージ送信ステップと、
を含んだことを特徴とするメッセージ通信方法。
【請求項１１】
前記アドレス情報はＵＲＬ（Uniform Resource Locator）の情報であることを特徴とする請求項９または１０に記載のメッセージ通信方法。
【請求項１２】
前記メッセージ送信ステップは、アクセス元の携帯端末に対してウェブ上でメッセージ表示を割り込ませることを特徴とする請求項９，１０または１１に記載のメッセージ通信ステップ。
【請求項１３】
前記メッセージ送信ステップは、アクセス元の携帯端末に対してメッセージをメール送信することを特徴とする請求項９〜１２のいずれか１つに記載のメッセージ通信方法。
【請求項１４】
会員に関するメールアドレスなどの会員情報を携帯端末の識別情報に対応させてメモリに記憶しており、さらに、前記メモリを参照してアクセス元の携帯端末が当該携帯端末の識別情報に基づいて会員に該当するか否かを判定する会員判定ステップを含んでおり、前記メッセージ送信ステップ段は、前記会員判定ステップにより会員に該当するという判定結果が得られた場合に前記メモリから会員のメールアドレスを読み出し、当該読み出されたメールアドレスに対してメール送信を実行することを特徴とする請求項１３に記載のメッセージ通信方法。
【請求項１５】
さらに、アクセス元の携帯端末の操作に応答して、前記メモリに記憶されるメッセージと当該メッセージを受け取る携帯端末の識別情報とを対応付けて前記メモリに登録する登録ステップを含んだことを特徴とする請求項９〜１４のいずれか１つに記載のメッセージ通信方法。
【請求項１６】
前記登録ステップは、さらに、メッセージ毎にアドレス情報を対応付けて登録することを特徴とする請求項１５に記載のメッセージ通信方法。
【請求項１７】
ネットワークを介して携帯端末との間で通信するサーバのコンピュータにより実行可能なプログラムであって、
前記コンピュータに、
メッセージと当該メッセージの前記ネットワーク上におけるアドレス情報とを関連付けてメモリに記憶しており、携帯端末から前記ネットワーク上のアドレス情報に基づくアクセスがあった場合に当該アドレス情報に関連付けられたメッセージが前記メモリに存在するかどうか判定する判定ステップと、
前記判定ステップで存在が確認された場合に当該メッセージを前記携帯端末に送信するメッセージ送信ステップと、
を実行させることを特徴とするプログラム。
【請求項１８】
ネットワークを介して携帯端末との間で通信するサーバのコンピュータにより実行可能なプログラムであって、
前記コンピュータに、
ページ情報と当該ページ情報の前記ネットワーク上におけるアドレス情報との関連付けおよびメッセージと当該メッセージの前記ネットワーク上におけるアドレス情報との関連付けをメモリに記憶しており、携帯端末から前記ネットワークを介して前記メモリに記憶されるアドレス情報に基づくアクセスがあった場合に当該アドレス情報に関連付けられたページ情報を前記メモリから読み出し、当該読み出されたページ情報に基づくページ画像を前記携帯端末に対して送信するページ送信ステップと、
前記アクセスがあったときのアドレス情報が前記メモリにおいてメッセージと関連付けられているかどうか判定する判定ステップと、
前記判定ステップで関連付けられていると判定されたメッセージを前記携帯端末に送信するメッセージ送信ステップと、
を実行させることを特徴とするプログラム。
【請求項１９】
前記アドレス情報はＵＲＬ（Uniform Resource Locator）の情報であることを特徴とする請求項１７または１８に記載のプログラム。
【請求項２０】
前記メッセージ送信ステップは、アクセス元の携帯端末に対してウェブ上でメッセージ表示を割り込ませることを特徴とする請求項１７，１８または１９に記載のプログラム。
【請求項２１】
前記メッセージ送信ステップは、アクセス元の携帯端末に対してメッセージをメール送信することを特徴とする請求項１７〜２０のいずれか１つに記載のプログラム。
【請求項２２】
会員に関するメールアドレスなどの会員情報を携帯端末の識別情報に対応させてメモリに記憶しており、さらに、前記メモリを参照してアクセス元の携帯端末が当該携帯端末の識別情報に基づいて会員に該当するか否かを判定する会員判定ステップを含んでおり、前記メッセージ送信ステップ段は、前記会員判定ステップにより会員に該当するという判定結果が得られた場合に前記メモリから会員のメールアドレスを読み出し、当該読み出されたメールアドレスに対してメール送信を実行することを特徴とする請求項２１に記載のプログラム。
【請求項２３】
さらに、アクセス元の携帯端末の操作に応答して、前記メモリに記憶されるメッセージと当該メッセージを受け取る携帯端末の識別情報とを対応付けて前記メモリに登録する登録ステップを含んだことを特徴とする請求項１７〜２２のいずれか１つに記載のプログラム。
【請求項２４】
前記登録ステップは、さらに、メッセージ毎にアドレス情報を対応付けて登録することを特徴とする請求項２３に記載のプログラム。
【発明の詳細な説明】
【技術分野】
【０００１】
本発明は、たとえば、インターネットなどのネットワークを介して携帯電話などの携帯端末に対してメッセージ通信を行うサーバシステム、メッセージ通信方法およびプログラムに関する。
【背景技術】
【０００２】
従来、携帯電話などの携帯端末間でメッセージを交換するために、主にメールが利用されている。このメールの他にもメッセージを相手に通知する手法がある。その一例として、携帯電話の番号を宛先として特定し、その宛先にメッセージを通知するｉショット（ＮＴＴドコモの登録商標）のシステムが知られている。
【０００３】
上述したようなシステムにおいては、メッセージを送信操作するタイミングで宛先にメッセージが送信される仕組みとなっており、リアルタイムで相手に通知するというニーズにはマッチしている。
【０００４】
また、今日、メッセージを登録しておき、相手の携帯端末がある特定の場所に存在する場合にメッセージをその相手の携帯端末に対して通知するシステムが提案されている（特許文献１）。この場合には、相手の携帯端末の物理的な場所に応じてメッセージが届く仕組みに特徴がある。
【０００５】
【特許文献１】特開平８−１２６０６２号公報
【発明の開示】
【発明が解決しようとする課題】
【０００６】
近年、携帯電話でもインターネットを利用して各種にサービスを享受することが可能である。たとえば、携帯電話網を介してインターネットに接続されるウェブサーバから提供されるウェブページを閲覧して音楽、ニュース、天気予報などの最新情報を入手したり、着信メロディなどのように携帯電話側に登録して再生可能なコンテンツをダウンロードするサービスがある。
【０００７】
今日、携帯電話でバーチャルな世界を自由に行き来することが可能になってきたことから、前述した従来例のように、携帯端末が物理的に位置を移動してあらかじめ決められたロケーションに到達した場合をトリガとしてメッセージを受け取れる仕組みと同様に、携帯電話のバーチャルな世界でアクセスされるロケーションをトリガとしても伝達すべきメッセージを効果的かつ効率的に受け取れる仕組みが期待されていた。
【０００８】
本発明の目的は、携帯端末のネットワークに実現されるバーチャルな世界でアクセスされるロケーションをトリガとしてメッセージを効果的かつ効率的に通信することが可能なサーバシステム、メッセージ通信方法およびプログラムを提供する点にある。
【課題を解決するための手段】
【０００９】
上述した課題を解決し、上記目的を達成するため、請求項１の発明に係るサーバシステムは、ネットワークを介して携帯端末との間で通信するサーバシステムであって、メッセージと当該メッセージの前記ネットワーク上におけるアドレス情報とを関連付けて記憶するメッセージ記憶手段と、携帯端末から前記ネットワーク上のアドレス情報に基づくアクセスがあった場合に当該アドレス情報に関連付けられたメッセージが前記メッセージ記憶手段に存在するかどうか判定する判定手段と、前記判定手段で存在が確認された場合に当該メッセージを前記携帯端末に送信するメッセージ送信手段と、を備えたことを特徴とするものである。
【００１０】
また、請求項２の発明に係るサーバシステムは、ネットワークを介して携帯端末との間で通信するサーバシステムであって、ページ情報と当該ページ情報の前記ネットワーク上におけるアドレス情報とを関連付けて記憶するページ記憶手段と、メッセージと当該メッセージの前記ネットワーク上におけるアドレス情報とを関連付けて記憶するメッセージ記憶手段と、携帯端末から前記ネットワークを介して前記ページ記憶手段に記憶されるアドレス情報に基づくアクセスがあった場合に当該アドレス情報に関連付けられたページ情報を前記ページ記憶手段から読み出し、当該読み出されたページ情報に基づくページ画像を前記携帯端末に対して送信するページ送信手段と、前記アクセスがあったときのアドレス情報が前記メッセージ記憶手段においてメッセージと関連付けられているかどうか判定する判定手段と、前記判定手段で関連付けられていると判定されたメッセージを前記携帯端末に送信するメッセージ送信手段と、を備えたことを特徴とするものである。
【００１１】
請求項１または２の発明は、請求項３のように、前記アドレス情報はＵＲＬ（Uniform Resource Locator）の情報としてもよい。
【００１２】
請求項１，２または３の発明は、請求項４のように、前記メッセージ送信手段は、アクセス元の携帯端末に対してウェブ上でメッセージ表示を割り込ませるようにしてもよい。
【００１３】
請求項１〜４のいずれか１つの発明は、請求項５のように、前記メッセージ送信手段は、アクセス元の携帯端末に対してメッセージをメール送信するようにしてもよい。
【００１４】
請求項５の発明は、請求項６のように、さらに、会員に関するメールアドレスなどの会員情報を携帯端末の識別情報に対応させて記憶する会員記憶手段と、前記会員記憶手段を参照してアクセス元の携帯端末が当該携帯端末の識別情報に基づいて会員に該当するか否かを判定する会員判定手段とを有しており、前記メッセージ送信手段は、前記会員判定手段により会員に該当するという判定結果が得られた場合に前記会員記憶手段から会員のメールアドレスを読み出し、当該読み出されたメールアドレスに対してメール送信を実行するようにしてもよい。
【００１５】
請求項１〜６のいずれか１つの発明は、請求項７のように、さらに、アクセス元の携帯端末の操作に応答して、前記メッセージ記憶手段に記憶されるメッセージと当該メッセージを受け取る携帯端末の識別情報とを対応付けて前記メッセージ記憶手段に登録する登録手段を有したものでもよい。
【００１６】
請求項７の発明は、請求項８のように、前記登録手段は、さらに、メッセージ毎にアドレス情報を対応付けて登録するようにしてもよい。
【００１７】
請求項９の発明に係るメッセージ通信方法は、ネットワークを介して携帯端末との間で通信するメッセージ通信方法であって、メッセージと当該メッセージの前記ネットワーク上におけるアドレス情報とを関連付けてメモリに記憶しており、携帯端末から前記ネットワーク上のアドレス情報に基づくアクセスがあった場合に当該アドレス情報に関連付けられたメッセージが前記メモリに存在するかどうか判定する判定ステップと、前記判定ステップで存在が確認された場合に当該メッセージを前記携帯端末に送信するメッセージ送信ステップと、を含んだことを特徴とするものである。
【００１８】
また、請求項１０の発明に係るメッセージ通信方法は、ネットワークを介して携帯端末との間で通信するメッセージ通信方法であって、ページ情報と当該ページ情報の前記ネットワーク上におけるアドレス情報との関連付けおよびメッセージと当該メッセージの前記ネットワーク上におけるアドレス情報との関連付けをメモリに記憶しており、携帯端末から前記ネットワークを介して前記メモリに記憶されるアドレス情報に基づくアクセスがあった場合に当該アドレス情報に関連付けられたページ情報を前記メモリから読み出し、当該読み出されたページ情報に基づくページ画像を前記携帯端末に対して送信するページ送信ステップと、前記アクセスがあったときのアドレス情報が前記メモリにおいてメッセージと関連付けられているかどうか判定する判定ステップと、前記判定ステップで関連付けられていると判定されたメッセージを前記携帯端末に送信するメッセージ送信ステップと、  を含んだことを特徴とするものである。
【００１９】
請求項９または１０の発明は、請求項１１のように、前記アドレス情報はＵＲＬ（Uniform Resource Locator）の情報としてもよい。
【００２０】
請求項９，１０または１１の発明は、請求項１２のように、前記メッセージ送信ステップは、アクセス元の携帯端末に対してウェブ上でメッセージ表示を割り込ませるようにしてもよい。
【００２１】
請求項９〜１２のいずれか１つの発明は、請求項１３のように、前記メッセージ送信ステップは、アクセス元の携帯端末に対してメッセージをメール送信するようにしてもよい。
【００２２】
請求項１３の発明は、請求項１４のように、会員に関するメールアドレスなどの会員情報を携帯端末の識別情報に対応させてメモリに記憶しており、さらに、前記メモリを参照してアクセス元の携帯端末が当該携帯端末の識別情報に基づいて会員に該当するか否かを判定する会員判定ステップを含んでおり、前記メッセージ送信ステップ段は、前記会員判定ステップにより会員に該当するという判定結果が得られた場合に前記メモリから会員のメールアドレスを読み出し、当該読み出されたメールアドレスに対してメール送信を実行するようにしてもよい。
【００２３】
請求項９〜１４のいずれか１つの発明は、請求項１５のように、さらに、アクセス元の携帯端末の操作に応答して、前記メモリに記憶されるメッセージと当該メッセージを受け取る携帯端末の識別情報とを対応付けて前記メモリに登録する登録ステップを含んだものでもよい。
【００２４】
請求項１５の発明は、請求項１６のように、前記登録ステップは、さらに、メッセージ毎にアドレス情報を対応付けて登録するようにしてもよい。
【００２５】
請求項１７の発明に係るプログラムは、ネットワークを介して携帯端末との間で通信するサーバのコンピュータにより実行可能なプログラムであって、前記コンピュータに、メッセージと当該メッセージの前記ネットワーク上におけるアドレス情報とを関連付けてメモリに記憶しており、携帯端末から前記ネットワーク上のアドレス情報に基づくアクセスがあった場合に当該アドレス情報に関連付けられたメッセージが前記メモリに存在するかどうか判定する判定ステップと、前記判定ステップで存在が確認された場合に当該メッセージを前記携帯端末に送信するメッセージ送信ステップと、を実行させることを特徴とするものである。
【００２６】
また、請求項１８の発明に係るプログラムは、ネットワークを介して携帯端末との間で通信するサーバのコンピュータにより実行可能なプログラムであって、前記コンピュータに、ページ情報と当該ページ情報の前記ネットワーク上におけるアドレス情報との関連付けおよびメッセージと当該メッセージの前記ネットワーク上におけるアドレス情報との関連付けをメモリに記憶しており、携帯端末から前記ネットワークを介して前記メモリに記憶されるアドレス情報に基づくアクセスがあった場合に当該アドレス情報に関連付けられたページ情報を前記メモリから読み出し、当該読み出されたページ情報に基づくページ画像を前記携帯端末に対して送信するページ送信ステップと、前記アクセスがあったときのアドレス情報が前記メモリにおいてメッセージと関連付けられているかどうか判定する判定ステップと、前記判定ステップで関連付けられていると判定されたメッセージを前記携帯端末に送信するメッセージ送信ステップと、を実行させることを特徴とするものである。
【００２７】
請求項１７または１８の発明は、請求項１９のように、前記アドレス情報はＵＲＬ（Uniform Resource Locator）の情報としてもよい。
【００２８】
請求項１７，１８または１９の発明は、請求項２０のように、前記メッセージ送信ステップは、アクセス元の携帯端末に対してウェブ上でメッセージ表示を割り込ませるようにしてもよい。
【００２９】
請求項１７〜２０のいずれか１つの発明は、請求項２１のように、前記メッセージ送信ステップは、アクセス元の携帯端末に対してメッセージをメール送信するようにしてもよい。
【００３０】
請求項２１の発明は、請求項２２のように、会員に関するメールアドレスなどの会員情報を携帯端末の識別情報に対応させてメモリに記憶しており、さらに、前記メモリを参照してアクセス元の携帯端末が当該携帯端末の識別情報に基づいて会員に該当するか否かを判定する会員判定ステップを含んでおり、前記メッセージ送信ステップ段は、前記会員判定ステップにより会員に該当するという判定結果が得られた場合に前記メモリから会員のメールアドレスを読み出し、当該読み出されたメールアドレスに対してメール送信を実行するようにしてもよい。
【００３１】
請求項１７〜２２のいずれか１つの発明は、請求項２３のように、さらに、アクセス元の携帯端末の操作に応答して、前記メモリに記憶されるメッセージと当該メッセージを受け取る携帯端末の識別情報とを対応付けて前記メモリに登録する登録ステップを含んだものでもよい。
【００３２】
請求項２３の発明は、請求項２４のように、前記登録ステップは、さらに、メッセージ毎にアドレス情報を対応付けて登録するようにしてもよい。
【発明の効果】
【００３３】
本発明によれば、携帯端末のネットワークに実現されるバーチャルな世界でアクセスされるロケーションをトリガとしてメッセージを効果的かつ効率的に通信することが可能なサーバシステム、メッセージ通信方法およびプログラムを提供できるという効果を奏する。
【発明を実施するための最良の形態】
【００３４】
以下、添付図面を参照して本発明に係る最良の実施形態について詳細に説明する。まず全体構成について説明する。図１は本発明の一実施の形態に係るネットワークシステムを概略的に説明する概略図である。図１において、本実施の形態のネットワークシステムは、携帯端末の１種である携帯電話１１とウェブサーバ１２との間を携帯電話網１３及びインターネット１４で通信可能に接続する構成を採る。
【００３５】
この図に示す携帯電話１１は、音声通信、インターネット通信などの機能を備えている。インターネット通信においては、ウェブサーバ１２との間でデータの送受信を行うためのプロトコルであるＨＴＴＰ(Hyper Text Transfer Protocol)を用いる。ウェブサーバ１２は、携帯電話１１などの携帯端末からの要求に応じて画像や文字によるメッセージの配信をサービスとして提供するサイトを実現するものである。特に、携帯端末間での画像や文字によるメッセージの配信の際にはデータベース１５を参照する。この詳細については後述する。
【００３６】
携帯電話網１３は、携帯電話１１との間でパケット通信を制御するためのパケット網１３０１、携帯電話１１とインターネット１４との間の通信を制御するサーバ１３０２などを備えている。インターネット１４は、携帯電話網１３を介して携帯電話１１との通信を行うほか、同ネットに接続されるパーソナルコンピュータ（図示略）、サーバ（図示略）などの通信を司る。以下、携帯電話１１とウェブサーバ１２について詳細に説明する。
【００３７】
〔ウェブサーバ１２の構成〕
図２は、ウェブサーバ１２の構成を示すブロック図である。図２において、ウェブサーバ１２は、インターネット１４に接続され、インターネット１４を介して携帯電話１１と、パーソナルコンピュータなどの他の機器との間の双方向通信を司る通信制御部１２０１と、ＣＰＵ、ＲＯＭ、ＲＡＭなどを備え、サーバ全体の制御を司る制御部１２０２と、制御部１２０２に本サーバを操作するための各種信号を入力するための入力部１２０３と、本サーバの操作や本サーバ自体の動作に伴う各種状態を表示する表示部１２０４と、携帯電話１１において本実施の形態によるメール送受信を実現するためのサーバ側の処理を受け持つアプリケーションプログラム（以下、アプリと言う）などを含むプログラムを記憶する記憶領域１２０５１を有する記憶部１２０５と、データベース１５を本サーバに接続するためのデータベースインターフェース１２０６と、本サーバの各部間におけるデータの双方向通信に供されるバスライン１２０７と、を備えて構成される。制御部１２０２は、インターネット１４を介して携帯電話１１などの他機器の要求に応じて画像や文字によるメッセージの配信の提供を行う。
【００３８】
〔データベース１５の構成〕
図２において、データベース１５は、携帯電話１１を所有するユーザのうち、会員登録したユーザを管理する会員レコードテーブル１５１、会員登録したユーザの友達リストを管理する友達レコードテーブル１５２、会員登録したユーザが入力したメッセージを管理するメッセージレコードテーブル１５３を記録する。以下、上述した各テーブルについて詳細に説明する。
【００３９】
図３は、会員レコードテーブル１５１、友達レコードテーブル１５２及びメッセージレコードテーブル１５３を示す図である。図３（ａ）の会員レコードテーブル１５１には、入会希望のユーザ毎に「会員ＩＤ」、「入会日」、「メールアドレス」などの会員情報が登録される。この図では２人のユーザの会員情報が登録されており、会員ＩＤ「１００１」のユーザの会員情報は、入会日が「２００３年９月１２日」、メールアドレスが「ＰＯＮＴＡ＠ｄｗａｎｇｏ．ｎｅ．ｊｐ」となっており、会員ＩＤ「１００５」のユーザの会員情報は、入会日が「２００３年９月１３日」、メールアドレスが「ＳＡＴＯＭＩ＠ｄｗａｎｇｏ．ｎｅ．ｊｐ」となっている。なお、途中で脱会した場合には会員ＩＤがそのまま削除される。
【００４０】
図３（ｂ）の友達レコードテーブル１５２には、「会員ＩＤによって決まる複数のＩＤ」、「友達の会員ＩＤ」などが登録される。特に、この友達レコードテーブル１５２では１人の会員に対して４つのレコードが確保されており、最大４人までの友達の登録が可能となっている。すなわち、会員ＩＤが「１００１」のユーザである「ぽんた」には、「４００４」、「４００５」、「４００６」、「４００７」の４つのレコードが確保され、会員ＩＤが「１００５」のユーザである「さとみ」には、「４０２０」、「４０２１」、「４０２２」、「４０２３」の４つのレコードが確保される（この図では、「４０２２」と「４０２３」のレコードは見えていない）。このように、それぞれのレコードに対応して友達の会員ＩＤを登録できる。この図では、「ぽんた」が登録した友達会員ＩＤは、「１００５」、「１０７５」、「１２８９」となっている。なお、「１００５」は「さとみ」である。
【００４１】
図３（ｃ）のメッセージレコードテーブル１５３には、「会員ＩＤによって決まる複数のＩＤ」、「送り主のＩＤ」、「ＵＲＬ」、「メッセージ」などが登録される。この図では、会員ＩＤが「１００１」のユーザである「ぽんた」には、会員ＩＤが「１００５」のユーザである「さとみ」から「こんにちは」というメッセージが登録されている。ここで、「ぽんた」が「http://www.dowango.co.jp」にアクセスすると、「さとみ」からのメッセージ（即ち「こんにちは（さとみ）」が「dowango.co.jp」のホームページ画面に表示される。なお、後述するが、メッセージは、電子メールで送信しても良いし、携帯電話１１のアプリに渡して、そのアプリが携帯電話１１のユーザに通知するようにしても良い。また、「ぽんた」が「http://www.dowango.com」にアクセスすると、会員ＩＤ「１０７５」のユーザ（「とん」とする）からのメッセージ（即ち「新曲入ったよ」）が「dowango.com」のトップ画面に割り込み表示される。また、「さとみ」が「http://www.dowango.co.jp」にアクセスすると、「ぽんた」からのメッセージ（即ち「ようこそ」が「dowango.co.jp」のトップ画面に割り込み表示される。
【００４２】
〔携帯電話１１の構成〕
図４は、携帯電話１１の構成を示すブロック図である。図４において、携帯電話１１は、アンテナ１１０１と、通信制御部１１０２と、制御部１１０３と、操作部１１０４と、表示部１１０５と、記憶部１１０６と、音声／サウンド制御部１１０９とを備えている。通信制御部１１０２は、アンテナ１１０１に接続され、アンテナ１１０１を介して携帯電話網１３と通信を行うものである。この通信制御部１１０２により、音声通話やウェブサーバ１２との通信を実現することができる。
【００４３】
制御部１１０３は、ＣＰＵ、ＲＯＭ、ＲＡＭなどを備え、記憶部１１０６に記憶されているプログラム１１０６１に従って携帯電話１１全体の制御を行う。例えば、携帯用の各種アプリ、例えばＪＡＶＡ（米Sun Microsystems社の登録商標）アプリによってウェブ閲覧を制御する。また、制御部１１０３は、操作部１１０４からの入力を受けて各種の処理を実行し、また各種の処理に応じて表示を制御する。
【００４４】
記憶部１１０６には、上述したプログラムを記憶する領域１１０６１を備えている。操作部１１０４は、電話番号、アドレスなどの入力を行うためのキー、リンク先を選択するキーなどを備えている。表示部１１０５は、例えばブラウザを表示したり、電話やメールの機能を使うときの表示画面を形成したりするものである。音声／サウンド制御部１１０９は、着信メロディ出力や音声出力のためのスピーカ１１０７と音声入力のためのマイク１１０８が接続されており、受話時や送話時の音声処理を行う。
【００４５】
つぎに、上記構成の携帯電話１１とウェブサーバ１２の動作について図面を用いて詳細に説明する。図５は会員登録時の携帯電話１１とウェブサーバ１２の動作を説明するためのフローチャート、図６はメッセージ設定時の携帯電話１１とウェブサーバ１２の動作を説明するためのフローチャート、図７はメッセージ設定時の携帯電話１１の画面遷移を説明するための図、図８はメッセージの表示例を示す図、そして、図９はメッセージ取得時の携帯電話１１とウェブサーバ１２の動作を説明するためのフローチャートである。
【００４６】
まず、会員登録時の動作について図５を用いて説明する。図５において、まずユーザの操作により携帯電話１１のたとえばＪＡＶＡアプリ（米Sun Microsystems社の登録商標）が起動すると、ＨＴＴＰを用いて、携帯電話網１３、インターネット１４を介して携帯電話１１からウェブサーバ１２へのアクセスが行われる（ステップＳＡ１０）。このステップＳＡ１０では、携帯電話１１からウェブサーバ１２に対して会員登録が要求される。ウェブサーバ１２では、携帯電話１１からのアクセスに応じて会員登録ページが作成され、ＨＴＴＰを用いて会員登録ページが送信される（ステップＳＢ１０）。ウェブサーバ１２から送信された会員登録ページは携帯電話１１の画面上に表示される（ステップＳＡ１１）。ユーザの操作により、携帯電話１１の画面に表示された会員登録ページにしたがって会員情報およびプロフィールの入力が行われる。
【００４７】
ユーザによる会員情報およびプロフィール入力が行われた後、携帯電話１１のＪＡＶＡアプリ（米Sun Microsystems社の登録商標）がＨＴＴＰを用いてユーザにより入力された会員情報およびプロフィールが送信される（ステップＳＡ１２）。ウェブサーバ１２では、携帯電話１１のユーザのプロフィールに基づいてデータベース１５に会員登録が行われる（ステップＳＢ１１）。
【００４８】
すなわち、ユーザが例えば「ぽんた」である場合、会員レコードテーブル１５１には、例えば図３（ａ）に示すように「会員ＩＤ」の欄に「１００１」、「入会日」の欄に「２００３０９１２」、「メールアドレス」の欄に「ＰＯＮＴＡ＠ｄｗａｎｇｏ．ｎｅ．ｊｐ」、「名前」の欄に「ぽんた」がそれぞれ記録される。また、ユーザが例えば「さとみ」である場合、会員レコードテーブル１５１には、例えば図３（ａ）に示すように、「会員ＩＤ」の欄に「１００５」、「入会日」の欄に「２００３０９１３」、「メールアドレス」の欄に「ＳＡＴＯＭＩ＠ｄｗａｎｇｏ．ｎｅ．ｊｐ」、「名前」の欄に「さとみ」がそれぞれ記録される。
【００４９】
図３（ｂ）には、友達レコードの一例が示されている。各会員は、たとえば４人までの友達を登録することが可能である。そこで、会員ＩＤが１００１のポンタには、すでに会員ＩＤとして１００５、１０７５、１２８９の３名が友達として登録されている。会員ＩＤが１００５のさとみには、まだ友達は未登録である。
【００５０】
図３（ｃ）には、メッセージレコードの一例が示されている。このメッセージレコードは、たとえば登録可能な友達分のメッセージを登録可能な構成である。すなわち、ここでは送り先を４人まで設定することが可能である。友達レコードのＩＤとメッセージレコードのＩＤとは同一ＩＤが使用される。送り先ＩＤは友達の会員ＩＤを示している。送信条件すなわち任意のＵＲＬに友達の携帯電話がアクセスしたときがメッセージ送信のトリガとなり、このトリガにしたがってメッセージが送り届けられる。
【００５１】
会員「ぽんた」において、送り先ＩＤの１００５（友達のさとみ）には、メッセージ「こんにちは」が登録されており、送信条件はｈｔｔｐ：／／ｗｗｗ．ｄｗａｎｇｏ．ｃｏ．ｊｐ／ＡＢＣ／へのアクセスである。同様に、送り先ＩＤの１０７５（友達）には、メッセージ「新曲入ったよー」が登録されており、送信条件はｈｔｔｐ：／／ｗｗｗ．ｄｗａｎｇｏ．ｃｏ．ｊｐ／ＤＥＦ／へのアクセスである。さらに、会員「さとみ」により設定された内容では、送り先ＩＤの１００１（友達のぽんた）には、メッセージ「新曲入ったよー」が登録されており、送信条件はｈｔｔｐ：／／ｗｗｗ．ｄｗａｎｇｏ．ｃｏ．ｊｐ／ＤＥＦ／へのアクセスである。
【００５２】
つづいて、メッセージ設定時の動作について図６を用いて説明する。図６において、携帯電話１１のユーザが友達にメッセージを発信しようとして、携帯電話１１にてウェブサーバ１２へのアクセスが実行される（ステップＳＡ２０）。このとき、会員ＩＤが送信される。ウェブサーバ１２では、アクセスしてきた携帯電話１１の会員ＩＤが抽出され、データベース１５の会員レコード１５１が参照されて、会員か非会員かの判定がなされる（ステップＳＢ２０）。
【００５３】
アクセス元携帯電話のユーザが会員でなかった場合には、会員登録のページが送信されて図５で説明した如く会員登録処理が実行される。そして、処理はステップＳＢ２１に移行する。一方、アクセス元携帯電話のユーザが会員であった場合には、相手にメッセージを送信するためのメッセージ設定ページが携帯電話１１に送信される（ステップＳＢ２１）。携帯電話１１では、ウェブサーバ１２から送られてきたメッセージ設定ページが表示される（ステップＳＡ）２１）。
【００５４】
メッセージ設定では、あらかじめ友達のメールアドレスなどを登録しておいた友達リストを使用してメッセージを送信する友達を設定することが可能である（図３（ｂ）参照）。その場合には、携帯電話１１よりウェブサーバ１２に対して友達リストが要求される（ステップＳＡ２２）。ウェブサーバ１２では、友達リストの要求があると、友達リストレコード１５１を参照して要求元会員に該当する友達リストが取得される（ステップＳＢ２２）。そして、友達リストが携帯電話１１に送信され（ステップＳＢ２３）、携帯電話１１の画面上に友達リストが表示される（ステップＳＡ２３）。
【００５５】
携帯電話１１のユーザの操作により送信条件（メッセージ送信のトリガ）となるアクセス先サイトなどのページ選択、メッセージ送信先となる友達の選択、メッセージの入力が行われ、ウェブサーバ１２に送信される（ステップＳ２４）。ウェブサーバ１２では、携帯電話１１から送信条件、友達、メッセージの設定内容が受信されると、その内容でデータベース１５が更新される（ステップＳＢ２４）。
【００５６】
友達選択では、自己の携帯電話１１の画面上に表示された友達リストから今回メッセージを送信する友達が選択され、メッセージ送信先として設定される。たとえば「さとみ」をメッセージ送信先として設定したとする。このようにして友達設定を行った後、メッセージの設定が行われる。たとえば「新曲入ったよー」を設定したとする。設定したメッセージはウェブサーバ１２がデータベース１５のメッセージレコードに登録する。以上により、たとえばユーザが「ぽんた」であり、今回のメッセージ送信先である友達が「さとみ」であれば、図３（ｃ）に示すように「会員ＩＤによって決まる複数のＩＤ」のレコードの「４０２０」の「送り先」の欄には「ぽんた」の会員ＩＤである「１００１」が登録され、「ＵＲＬ」の欄にはｈｔｔｐ：／／ｗｗｗ．ｄｗａｎｇｏ．ｃｏ．ｊｐ／ＤＥＦ／が登録され、「メッセージ」の欄には「新曲入ったよー」が登録される。
【００５７】
なお、上述した説明では、メッセージを送信する友達を「友達リスト」から設定するようにしたが、以下で説明するように、直接友達の名前を入力することも可能である。この場合は、携帯電話１１側のステップＳＡ２２、ウェブサーバ１２のステップＳＢ２２およびステップＳＢ２３の処理を省略することになる。
【００５８】
つぎに、図７および図８を参照して上述したメッセージ設定時における携帯電話１１の画面遷移について説明する。携帯電話１１において、メッセージ設定ページの初期画面で「メッセージの設定」が選択されると、ウェブサーバ１２からの表示データにしたがって初期画面から「メッセージの設定」画面への切り替えが行われる。この「メッセージの設定」にてトリガとなるアクセス先のサイトが選択される。
【００５９】
ここでは、たとえば「いろメロ」という着信メロディ配信サイトが指定されることとする。これにより「いろメロ」のＵＲＬであるｈｔｔｐ：／／ｗｗｗ．ｄｗａｎｇｏ．ｃｏ．ｊｐ／ＤＥＦ／が送信条件として設定される。送信条件となるサイトが選択された後、つぎにメッセージを送信する友達が設定される。この場合、テキストボックスＴＢ１にメッセージを送信する友達の名前を入力しても良いし、ラジオボタンＲＢ１を押して友達リストを呼び出し、そのリストから設定するようにしても良い。
【００６０】
ここで、友達リストを呼び出すためにラジオボタンＲＢ１（「友達から」）を押すと、「メッセージの設定」画面から「友達リスト」画面に切り替わる。「友達リスト」画面にでは、あらかじめ登録しておいた友達の名前が一覧表示される。この図７では、「さとみ」、「とん」、「まほたん」、「しおっくす」が表示されている。この中から例えば「さとみ」を選択する場合、「さとみ」を指定するチェックボックスＣＢ１にチェックを入れる。そして、ラジオボタンＲＢ２（「決定」）を押すと、「さとみ」が設定される。このようにして友達設定を行った後、「[０]戻る」を押すことで、「メッセージの設定」画面に戻る。このときテキストボックスＴＢ１には「さとみ」が表示される。
【００６１】
メッセージ送信先となる友達が設定された後、テキストボックスＴＢ２にメッセージが入力される。この場合、入力したメッセージを編集することも可能である。その場合は「マイメニュー」画面に戻って「設定したメッセージの編集」を選択する。これにより「設定したメッセージの編集」画面に切り替わり、今回入力したメッセージのほかに、過去に入力したメッセージが表示される。この図７では、一例として「新曲入ったよー」、「待ってたよー」、「ようこそ」が選択可能であるが、直接文字入力によりメッセージを設定するようにしてもよい。なお、「設定したメッセージの編集」画面では、メッセージを編集のほかに削除することも可能である。また、友達リストに登録した友達の詳細を確認することも可能である。
【００６２】
以上により、メッセージの設定が終了し、「メッセージの設定」画面には、「いろメロ」、「さとみ」、「新曲入ったよー」が表示されることになる。これでよければラジオボタンＲＢ５（「決定」）を押す。これにより、データベース１５のメッセージレコードテーブル１５３の「さとみ」（会員番号ＩＤ「１００５」）のＩＤ「４０２０」の送り先ＩＤの欄に、「ぽんた」の会員番号ＩＤ「１００１」が登録され、「ＵＲＬ」の欄に「いろメロ」のｈｔｔｐ：／／ｗｗｗ．ｄｗａｎｇｏ．ｃｏ．ｊｐ／ＤＥＦ／が登録され、「メッセージ」の欄に「新曲入ったよー」が登録される。
【００６３】
そして、「さとみ」が自己の携帯電話１１で、「いろメロ」のＵＲＬをもつウェブサーバ１２にアクセスすると、そのＵＲＬへのアクセスがトリガとなって「ぽんた」からのメッセージが取り出され、図８に示したように、メッセージ「新曲入ったよー」が「さとみ」の携帯電話１１に配信され、その画面上に表示される。このメッセージの取得処理については後述する。
【００６４】
つぎに、メッセージ取得時の動作について図９を参照して説明する。図９において、まず携帯電話１１にてサイトすなわちウェブサーバ１２へのアクセスが行われる（ステップＳＡ３０）。ウェブサーバ１２では、アクセス時、携帯電話１１から会員ＩＤが送られてきた場合には、データベース１５の会員レコード１５１を参照して、会員か非会員かの判定が行われる（ステップＳＢ３０）。会員でなければ処理は会員登録に進む。一方、会員であれば、メッセージレコードテーブル１５３からメッセージの取得処理が実行される（ステップＳＢ３１）。
【００６５】
メッセージを取得しに行った結果、メッセージがあったかどうかの判定がなされ（ステップＳＢ３２）、メッセージがなければ本処理は終了するが、メッセージがあれば、そのメッセージがウェブを通じて携帯電話１１に割り込み送信される（ステップＳＢ３３）。これにより、携帯電話１１の画面には、ウェブサーバ１２から送信されてきたメッセージが割り込み表示される（ステップＳＡ３１）。そして、その送信済みのメッセージがメッセージレコードテーブル１５３から削除される（ステップＳＢ３４）。なお、メッセージをウェブサーバ１２が自動的に削除する以外に、携帯電話１１のユーザの確認後に削除するようにしても良い。また、所定の期間（例えば１週間）はそのまま保存しておいて、その期間経過後に自動的に削除するようにしても良い。
【００６６】
ここで、ウェブサーバ１２にアクセスしてきた人が「さとみ」であれば、「ぽんた」からのメッセージが、「さとみ」の携帯電話１１の画面上に表示される。すなわち、図８の表示例のように、「いろメロ」のトップ画面に「ぽんた」からのメッセージとして「新曲入ったよー」が表示される。
【００６７】
以上説明したように、本実施の形態によれば、携帯電話などの携帯端末のネットワークに実現されるバーチャルな世界でアクセスされるロケーションをトリガとしてメッセージを効果的かつ効率的に通信することが可能である。
【００６８】
また、友達の会員に対して送りたいメッセージをウェブサーバ１２のＵＲＬに対応関連付けて記録しておくことで、その友達が自分の携帯電話１１でウェブサーバ１２にアクセスすると、それをトリガとして記録しているメッセージをその友達の携帯電話１１に配信するので、たとえばある会員のユーザが着信メロディのダウンロードを希望して、着信メロディ配信サイトに訪れたときに自分の好きな音楽ジャンルやアーティストのことを知っている友達からメッセージを受け取ることが可能になる。すなわち、会員同士で互いに有益な情報を与え合うことができるので、コミュニケーションが活性化し、各情報発信サイトの利用率の向上が期待できる。
【００６９】
なお、上述した実施の形態では、ＨＴＭＬを使用して携帯電話１１の画面上に割り込みの形でメッセージを表示するようにしたが、電子メールとしてメッセージ受信側の携帯電話１１に送るようにしてもよい。この場合には、会員レコードのメールアドレスが参照される。また、メッセージ受信側の携帯電話１１のアプリに渡すようにしてもよい。この場合には、メッセージが渡された後、アプリが起動したときに、携帯電話１１の画面上にメッセージが表示される。このように、メッセージの配信は、（１）ＵＲＬのページに割り込み表示、（２）電子メールで配信、（３）携帯電話１１のアプリへの配信が挙げられる。
【００７０】
また、前述の実施の形態では、配信するメッセージとして文字を用いたが、音声合成して音声出力するようにしてもよく、ＣＤ音源の音楽や歌のない曲を出力するようにしてもよく、あるいは、あらかじめ用意した静止画や動画などの画像データを出力するようにしてもよい。
【産業上の利用可能性】
【００７１】
移動体通信においてメッセージを配信可能なシステムの全般への適用が可能である。
【図面の簡単な説明】
【００７２】
【図１】本実施の形態に係るネットワークシステムを概略的に示す概略図である。
【図２】本実施の形態に係るウェブサーバシステムの一構成例を示すブロック図である。
【図３】本実施の形態に係るウェブサーバシステムのデータベースに設定される各種レコードテーブルを示す図である。
【図４】本実施の形態に係る携帯電話の一構成例を示すブロック図である。
【図５】本実施の形態による会員登録時の動作を説明するためのフローチャートである。
【図６】本実施の形態によるメッセージ設定時の動作を説明するためのフローチャートである。
【図７】本実施の形態によるメッセージ設定時の携帯電話側の画面遷移を説明するための図である。
【図８】本実施の形態によるメッセージ表示例を説明する図である。
【図９】本実施の形態によるメッセージ取得時の動作を説明するためのフローチャートである。
【符号の説明】
【００７３】
１１  携帯電話
１２  メールサーバ
１３  携帯電話網
１４  インターネット
１５  データベース
１５１  会員レコードテーブル
１５２  友達レコードテーブル
１５３  メッセージレコードテーブル
１１０１  アンテナ
１１０２、１２０１  通信制御部
１１０３、１２０２  制御部
１１０４  操作部
１１０５、１２０４  表示部
１１０６、１２０５  記憶部
１１０７  スピーカ
１１０８  マイク
１１０９  音声／サウンド制御部
１１１０、１２０７  バスライン
１２０３  入力部
１２０６  データベースインターフェース
１３０１  パケット網
１３０２  サーバ
１１０６１、１２０５１  プログラム
【図１】
2005208941.tif 000003
【図２】
2005208941.tif 000004
【図３】
2005208941.tif 000005
【図４】
2005208941.tif 000006
【図５】
2005208941.tif 000007
【図６】
2005208941.tif 000008
【図７】
2005208941.tif 000009
【図８】
2005208941.tif 000010
【図９】
2005208941.tif 000011
【手続補正書】
【提出日】平成16年7月30日(2004.7.30)
【手続補正１】
【補正対象書類名】特許請求の範囲
【補正対象項目名】請求項１２
【補正方法】変更
【補正の内容】
【請求項１２】
前記メッセージ送信ステップは、アクセス元の携帯端末に対してウェブ上でメッセージ表示を割り込ませることを特徴とする請求項９，１０または１１に記載のメッセージ通信方法。
【手続補正２】
【補正対象書類名】明細書
【補正対象項目名】０００６
【補正方法】変更
【補正の内容】
【０００６】
近年、携帯電話でもインターネットを利用して各種のサービスを享受することが可能である。たとえば、携帯電話網を介してインターネットに接続されるウェブサーバから提供されるウェブページを閲覧して音楽、ニュース、天気予報などの最新情報を入手したり、着信メロディなどのように携帯電話側に登録して再生可能なコンテンツをダウンロードするサービスがある。
【手続補正書】
【提出日】平成16年11月15日(2004.11.15)
【手続補正１】
【補正対象書類名】特許請求の範囲
【補正対象項目名】全文
【補正方法】変更
【補正の内容】
【特許請求の範囲】
【請求項１】
ネットワークを介して携帯端末に対してメッセージを送信するためのサーバシステムであって、
会員毎に少なくとも会員IDと名前を対応付けて記憶するとともに、会員毎に友達の会員IDを対応付けて記憶するデータベースと、
会員の携帯端末からのアクセスに応じて、当該会員の会員IDを確認して前記携帯端末にメッセージ設定ページを送信するメッセージ設定ページ送信手段と、
前記会員の携帯端末から前記メッセージ設定ページ送信手段で送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第１送信および受付手段と、
前記会員の携帯端末から前記メッセージ設定ページ送信手段で送信したメッセージ設定ページに対する要求に応じて、あらかじめ記憶されているメッセージを列挙させた選択ページを送信して、当該選択ページに対する選択操作を受け付ける第２送信および受付手段と、
前記データベースを参照して、前記第１送信および受付手段で受け付けた名前に対応する会員ID、前記第２送信および受付手段で受け付けたメッセージ、および、当該メッセージの送信条件となるＵＲＬを対応付けて前記データベースに記憶する記憶手段と、
会員の携帯端末から前記記憶手段に記憶されているＵＲＬへのアクセスがあった場合、前記データベースを参照して、当該ＵＲＬに対応するメッセージが存在するかどうか判定する判定手段と、
前記判定手段でメッセージの存在が確認された場合、当該メッセージを前記データベースから読み出して前記会員の携帯端末に送信するメッセージ送信手段と、
前記メッセージ送信手段で送信されたメッセージを前記データベースから削除する削除手段と、
を備えたことを特徴とするサーバシステム。
【請求項２】
メッセージが、音声合成した音声、ＣＤ音源の音楽、歌のない曲、静止画、動画のいずれかであることを特徴とする請求項１に記載のサーバシステム。
【請求項３】
ネットワークを介して携帯端末に対してメッセージを送信するためのメッセージ通信方法であって、
会員毎に少なくとも会員IDと名前を対応付けて記憶するとともに、会員毎に友達の会員IDを対応付けて記憶するデータベースが用意されており、
会員の携帯端末からのアクセスに応じて、当該会員の会員IDを確認して前記携帯端末にメッセージ設定ページを送信する第１ステップと、
前記会員の携帯端末から前記第１ステップで送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第２ステップと、
前記会員の携帯端末から前記第１ステップで送信したメッセージ設定ページに対する要求に応じて、あらかじめ記憶されているメッセージを列挙させた選択ページを送信して、当該選択ページに対する選択操作を受け付ける第３ステップと、
前記データベースを参照して、前記第２ステップで受け付けた名前に対応する会員ID、前記第３ステップで受け付けたメッセージ、および、当該メッセージの送信条件となるＵＲＬを対応付けて前記データベースに記憶する第４ステップと、
会員の携帯端末から前記データベースに記憶されているＵＲＬへのアクセスがあった場合、前記データベースを参照して、当該ＵＲＬに対応するメッセージが存在するかどうか判定する第５ステップと、
前記第５ステップでメッセージの存在が確認された場合、当該メッセージを前記データベースから読み出して前記会員の携帯端末に送信する第６ステップと、
前記第６ステップで送信されたメッセージを前記データベースから削除する第７ステップと、
を含んだことを特徴とするメッセージ通信方法。
【請求項４】
メッセージが、音声合成した音声、ＣＤ音源の音楽、歌のない曲、静止画、動画のいずれかであることを特徴とする請求項３に記載のメッセージ通信方法。
【請求項５】
ネットワークを介して携帯端末に対してメッセージを送信するサーバのコンピュータに実行させるメッセージ送信プログラムであって、
前記コンピュータに、
会員毎に少なくとも会員IDと名前を対応付けて記憶するとともに、会員毎に友達の会員IDを対応付けて記憶するデータベースが用意されており、
会員の携帯端末からのアクセスに応じて、当該会員の会員IDを確認して前記携帯端末にメッセージ設定ページを送信する第１ステップと、
前記会員の携帯端末から前記第１ステップで送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第２ステップと、
前記会員の携帯端末から前記第１ステップで送信したメッセージ設定ページに対する要求に応じて、あらかじめ記憶されているメッセージを列挙させた選択ページを送信して、当該選択ページに対する選択操作を受け付ける第３ステップと、
前記データベースを参照して、前記第２ステップで受け付けた名前に対応する会員ID、前記第３ステップで受け付けたメッセージ、および、当該メッセージの送信条件となるＵＲＬを対応付けて前記データベースに記憶する第４ステップと、
会員の携帯端末から前記データベースに記憶されているＵＲＬへのアクセスがあった場合、前記データベースを参照して、当該ＵＲＬに対応するメッセージが存在するかどうか判定する第５ステップと、
前記第５ステップでメッセージの存在が確認された場合、当該メッセージを前記データベースから読み出して前記会員の携帯端末に送信する第６ステップと、
前記第６ステップで送信されたメッセージを前記データベースから削除する第７ステップと、
を実行させることを特徴とするメッセージ通信プログラム。
【請求項６】
メッセージが、音声合成した音声、ＣＤ音源の音楽、歌のない曲、静止画、動画のいずれかであることを特徴とする請求項５に記載のメッセージ通信プログラム。
【手続補正２】
【補正対象書類名】明細書
【補正対象項目名】０００９
【補正方法】変更
【補正の内容】
【０００９】
上述した課題を解決し、上記目的を達成するため、本発明のサーバシステムは、ネットワークを介して携帯端末に対してメッセージを送信するためのサーバシステムであって、
会員毎に少なくとも会員IDと名前を対応付けて記憶するとともに、会員毎に友達の会員IDを対応付けて記憶するデータベースと、会員の携帯端末からのアクセスに応じて、当該会員の会員IDを確認して前記携帯端末にメッセージ設定ページを送信するメッセージ設定ページ送信手段と、前記会員の携帯端末から前記メッセージ設定ページ送信手段で送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第１送信および受付手段と、前記会員の携帯端末から前記メッセージ設定ページ送信手段で送信したメッセージ設定ページに対する要求に応じて、あらかじめ記憶されているメッセージを列挙させた選択ページを送信して、当該選択ページに対する選択操作を受け付ける第２送信および受付手段と、前記データベースを参照して、前記第１送信および受付手段で受け付けた名前に対応する会員ID、前記第２送信および受付手段で受け付けたメッセージ、および、当該メッセージの送信条件となるＵＲＬを対応付けて前記データベースに記憶する記憶手段と、会員の携帯端末から前記記憶手段に記憶されているＵＲＬへのアクセスがあった場合、前記データベースを参照して、当該ＵＲＬに対応するメッセージが存在するかどうか判定する判定手段と、前記判定手段でメッセージの存在が確認された場合、当該メッセージを前記データベースから読み出して前記会員の携帯端末に送信するメッセージ送信手段と、前記メッセージ送信手段で送信されたメッセージを前記データベースから削除する削除手段と、を備えたことを特徴とするものである。
【手続補正３】
【補正対象書類名】明細書
【補正対象項目名】００１０
【補正方法】変更
【補正の内容】
【００１０】
前記メッセージは、音声合成した音声、ＣＤ音源の音楽、歌のない曲、静止画、動画のいずれかであることも望ましい。
【手続補正４】
【補正対象書類名】明細書
【補正対象項目名】００１１
【補正方法】変更
【補正の内容】
【００１１】
また、本発明のメッセージ通信方法は、 ネットワークを介して携帯端末に対してメッセージを送信するためのメッセージ通信方法であって、会員毎に少なくとも会員IDと名前を対応付けて記憶するとともに、会員毎に友達の会員IDを対応付けて記憶するデータベースが用意されており、会員の携帯端末からのアクセスに応じて、当該会員の会員IDを確認して前記携帯端末にメッセージ設定ページを送信する第１ステップと、前記会員の携帯端末から前記第１ステップで送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第２ステップと、前記会員の携帯端末から前記第１ステップで送信したメッセージ設定ページに対する要求に応じて、あらかじめ記憶されているメッセージを列挙させた選択ページを送信して、当該選択ページに対する選択操作を受け付ける第３ステップと、前記データベースを参照して、前記第２ステップで受け付けた名前に対応する会員ID、前記第３ステップで受け付けたメッセージ、および、当該メッセージの送信条件となるＵＲＬを対応付けて前記データベースに記憶する第４ステップと、会員の携帯端末から前記データベースに記憶されているＵＲＬへのアクセスがあった場合、前記データベースを参照して、当該ＵＲＬに対応するメッセージが存在するかどうか判定する第５ステップと、前記第５ステップでメッセージの存在が確認された場合、当該メッセージを前記データベースから読み出して前記会員の携帯端末に送信する第６ステップと、前記第６ステップで送信されたメッセージを前記データベースから削除する第７ステップと、を含んだことを特徴とするものである。
【手続補正５】
【補正対象書類名】明細書
【補正対象項目名】００１２
【補正方法】変更
【補正の内容】
【００１２】
前記メッセージは、音声合成した音声、ＣＤ音源の音楽、歌のない曲、静止画、動画のいずれかであることも望ましい。
【手続補正６】
【補正対象書類名】明細書
【補正対象項目名】００１３
【補正方法】変更
【補正の内容】
【００１３】
また、本発明のメッセージ通信プログラムは、ネットワークを介して携帯端末に対してメッセージを送信するサーバのコンピュータに実行させるメッセージ送信プログラムであって、前記コンピュータに、会員毎に少なくとも会員IDと名前を対応付けて記憶するとともに、会員毎に友達の会員IDを対応付けて記憶するデータベースが用意されており、
会員の携帯端末からのアクセスに応じて、当該会員の会員IDを確認して前記携帯端末にメッセージ設定ページを送信する第１ステップと、前記会員の携帯端末から前記第１ステップで送信したメッセージ設定ページに対する要求に応じて、前記データベースを参照し、前記会員IDに対応付けられた友達の会員IDに対応する名前を列挙させた選択ページを送信して、当該選択ページに対する選択操作を受け付ける第２ステップと、前記会員の携帯端末から前記第１ステップで送信したメッセージ設定ページに対する要求に応じて、あらかじめ記憶されているメッセージを列挙させた選択ページを送信して、当該選択ページに対する選択操作を受け付ける第３ステップと、前記データベースを参照して、前記第２ステップで受け付けた名前に対応する会員ID、前記第３ステップで受け付けたメッセージ、および、当該メッセージの送信条件となるＵＲＬを対応付けて前記データベースに記憶する第４ステップと、会員の携帯端末から前記データベースに記憶されているＵＲＬへのアクセスがあった場合、前記データベースを参照して、当該ＵＲＬに対応するメッセージが存在するかどうか判定する第５ステップと、前記第５ステップでメッセージの存在が確認された場合、当該メッセージを前記データベースから読み出して前記会員の携帯端末に送信する第６ステップと、前記第６ステップで送信されたメッセージを前記データベースから削除する第７ステップと、を実行させることを特徴とするものである。
【手続補正７】
【補正対象書類名】明細書
【補正対象項目名】００１４
【補正方法】変更
【補正の内容】
【００１４】
前記メッセージは、音声合成した音声、ＣＤ音源の音楽、歌のない曲、静止画、動画のいずれかであることも望ましい
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３８
【補正方法】変更
【補正の内容】
【００３８】
〔データベース１５の構成〕
図２において、データベース１５は、携帯電話１１を所有するユーザのうち、会員登録したユーザを管理する会員レコードテーブル１５１、会員登録したユーザの友達リストを管理する友達レコードテーブル１５２、会員登録したユーザが入力したメッセージを管理するメッセージレコードテーブル１５３を記憶している。以下、上述した各テーブルについて詳細に説明する。
【手続補正２７】
【補正対象書類名】明細書
【補正対象項目名】００４０
【補正方法】変更
【補正の内容】
【００４０】
図３（ｂ）の友達レコードテーブル１５２には、「会員ＩＤによって決まる複数のＩＤ」、「友達の会員ＩＤ」などが登録される。特に、この友達レコードテーブル１５２では１人の会員に対して４つのレコードが確保されており、最大４人までの友達の登録が可能となっている。すなわち、会員ＩＤが「１００１」のユーザである「ぽんた」には、「４００４」、「４００５」、「４００６」、「４００７」の４つのレコードが確保され、会員ＩＤが「１００５」のユーザである「さとみ」には、「４０２０」、「４０２１」、「４０２２」、「４０２３」の４つのレコードが確保される（この図では、「４０２２」と「４０２３」のレコードは見えていない）。このように、それぞれのレコードに対応して友達の会員ＩＤを登録できる。この図では、「ぽんた」が登録した友達の会員ＩＤは、「１００５」、「１０７５」、「１２８９」となっている。なお、会員ＩＤ「１００５」は「さとみ」である。
【手続補正２８】
【補正対象書類名】明細書
【補正対象項目名】００４１
【補正方法】変更
【補正の内容】
【００４１】
図３（ｃ）のメッセージレコードテーブル１５３には、「会員ＩＤによって決まる複数のＩＤ」、「送り主のＩＤ」、「送信条件（ＵＲＬ）」、「メッセージ」などが登録される。この図では、会員ＩＤが「１００１」のユーザである「ぽんた」には、会員ＩＤが「１００５」のユーザである「さとみ」から「こんにちは」というメッセージが登録されている。ここで、「ぽんた」が「送信条件（ＵＲＬ）」に登録されている「http://www.dowango.co.jp/ABC/」にアクセスすると、条件が満たされて「さとみ」からのメッセージ（即ち「こんにちは（さとみ）」）が、「dowango.co.jp」のホームページが表示されている画面に割り込んで表示される。なお、後述するが、メッセージは、電子メールで送信しても良いし、携帯電話１１のアプリ（アプリケーションプログラム、以下、アプリと称する）に渡して、そのアプリが携帯電話１１のユーザに通知するようにしても良い。また、「ぽんた」が「http://www.dowango.com」にアクセスすると、会員ＩＤ「１０７５」のユーザ（「とん」とする）からのメッセージ（即ち「ようこそ」）が「dowango.com」のトップ画面に割り込み表示される。また、「さとみ」が「http://www.dowango.co.jp」にアクセスすると、「ぽんた」からのメッセージ（即ち「新曲入ったよー」が「dowango.co.jp」のトップ画面に割り込み表示される。
【手続補正２９】
【補正対象書類名】明細書
【補正対象項目名】００４７
【補正方法】変更
【補正の内容】
【００４７】
ユーザによる会員情報およびプロフィール入力が行われた後、携帯電話１１のＪＡＶＡアプリ（米Sun Microsystems社の登録商標）がＨＴＴＰを用いてユーザにより入力された会員情報およびプロフィールが送信される（ステップＳＡ１２）。ウェブサーバ１２では、携帯電話１１から受信した会員情報のユーザのプロフィールに基づいてデータベース１５に会員登録が行われる（ステップＳＢ１１）。
【手続補正３０】
【補正対象書類名】明細書
【補正対象項目名】００４９
【補正方法】変更
【補正の内容】
【００４９】
図３（ｂ）には、友達レコード１５２の一例が示されている。各会員は、たとえば４人までの友達を登録することが可能である。そこで、会員ＩＤが「１００１」のポンタには、すでに会員ＩＤとして「１００５」、「１０７５」、「１２８９」の３名が友達として登録されている。会員ＩＤが「１００５」のさとみには、まだ友達は未登録である。
【手続補正３１】
【補正対象書類名】明細書
【補正対象項目名】００５０
【補正方法】変更
【補正の内容】
【００５０】
図３（ｃ）には、メッセージレコード１５３の一例が示されている。このメッセージレコードは、たとえば登録可能な友達分のメッセージを登録可能な構成である。すなわち、ここでは送り先を４人まで設定することが可能である。友達レコードのＩＤとメッセージレコードのＩＤとは同一ＩＤが使用される。「送り先のＩＤ」は友達の会員ＩＤを示している。送信条件（ＵＲＬ）、すなわち、この欄に設定されたＵＲＬに友達の携帯電話がアクセスしたときがメッセージ送信のトリガとなり、このトリガにしたがってメッセージが送り届けられる。
【手続補正３２】
【補正対象書類名】明細書
【補正対象項目名】００５１
【補正方法】変更
【補正の内容】
【００５１】
メッセージレコード１５３の会員「ぽんた」のレコードにおいては、「送り先のＩＤ」の「１００５（友達のさとみ）」に対しては、メッセージ「こんにちは」が登録されており、「送信条件（ＵＲＬ）」としては「ｈｔｔｐ：／／ｗｗｗ．ｄｗａｎｇｏ．ｃｏ．ｊｐ／ＡＢＣ／」へのアクセスであることが設定されている。同様に、「送り先のＩＤ」の「１０７５（友達）」には、メッセージ「ようこそ」が登録されており、「送信条件（ＵＲＬ）」としては「ｈｔｔｐ：／／ｗｗｗ．ｄｗａｎｇｏ．ｃｏｍ．ｊｐ／ＤＥＦ／」へのアクセスである。さらに、会員「さとみ」により設定された内容では、「送り先のＩＤ」の「１００１（友達のぽんた）」に対しては、メッセージ「新曲入ったよー」が登録されており、「送信条件（ＵＲＬ）」としては「ｈｔｔｐ：／／ｗｗｗ．ｄｗａｎｇｏ．ｃｏ．ｊｐ／ＤＥＦ／」へのアクセスである。
【手続補正３３】
【補正対象書類名】明細書
【補正対象項目名】００５４
【補正方法】変更
【補正の内容】
【００５４】
メッセージ設定では、あらかじめ友達のメールアドレスなどを登録しておいた友達リストを使用してメッセージを送信する友達を設定することが可能である（図３（ｂ）参照）。その場合には、携帯電話１１よりウェブサーバ１２に対して友達リストが要求される（ステップＳＡ２２）。ウェブサーバ１２では、友達リストの要求があると、友達レコード１５２を参照して要求元会員に該当する友達リストが取得される（ステップＳＢ２２）。そして、友達リストが携帯電話１１に送信され（ステップＳＢ２３）、携帯電話１１の画面上に友達リストが表示される（ステップＳＡ２３）。
【手続補正３４】
【補正対象書類名】明細書
【補正対象項目名】００５６
【補正方法】変更
【補正の内容】
【００５６】
友達選択では、自己の携帯電話１１の画面上に表示された友達リストから今回メッセージを送信する友達が選択され、メッセージ送信先として設定される。たとえば「さとみ」をメッセージ送信先として設定したとする。このようにして友達設定を行った後、メッセージの設定が行われる。たとえば「新曲入ったよー」を設定したとする。設定したメッセージはウェブサーバ１２がデータベース１５のメッセージレコードに登録する。以上により、たとえばユーザが「さとみ」であり、今回のメッセージ送信先である友達が「ぽんた」であれば、図３（ｃ）に示すように「会員ＩＤによって決まる複数のＩＤ」のレコードの「４０２０」の「送り先」の欄には「ぽんた」の会員ＩＤである「１００１」が登録され、「送信条件（ＵＲＬ）」の欄には「ｈｔｔｐ：／／ｗｗｗ．ｄｗａｎｇｏ．ｃｏ．ｊｐ／ＤＥＦ／」が登録され、「メッセージ」の欄には「新曲入ったよー」が登録される。
【手続補正３５】
【補正対象書類名】図面
【補正対象項目名】図３
【補正方法】変更
【補正の内容】
【図３】
2005208941.tif 000012